(57)【特許請求の範囲】
【請求項１】
電気部品をそれぞれ搭載する複数の搭載部と、前記搭載部ごとに設けられ、第一方向に伸縮自在の第一撓み部と、前記搭載部ごとに設けられ、第一方向と直交する第二方向に伸縮自在の第二撓み部と、前記第一撓み部の前記第一方向の一端と前記第二撓み部の前記第二方向の一端とを連結する連結部と、を備え、
前記第一撓み部は、前記第二撓み部の伸縮の程度にかかわらず、前記複数の搭載部にそれぞれ搭載された電気部品の位置を前記第一方向に沿って調整可能なように前記第一方向に伸縮自在であり、
前記第二撓み部は、前記第一撓み部の伸縮の程度にかかわらず、前記複数の搭載部にそれぞれ搭載された電気部品の位置を前記第二方向に沿って調整可能なように前記第二方向に伸縮自在であることを特徴とする可撓性回路基板。
【請求項２】
前記第一撓み部及び前記第二撓み部が蛇腹折りにされていることを特徴とする請求項１に記載の可撓性回路基板。
【請求項３】
発光素子をそれぞれ搭載する複数の搭載部と、前記搭載部ごとに設けられ、第一方向に伸縮自在の第一撓み部と、前記搭載部ごとに設けられ、第一方向と直交する第二方向に伸縮自在の第二撓み部と、前記第一撓み部の前記第一方向の一端と前記第二撓み部の前記第二方向の一端とを連結する連結部と、を備え、
前記第一撓み部は、前記第二撓み部の伸縮の程度にかかわらず、前記複数の搭載部にそれぞれ搭載された発光素子の位置を前記第一方向に沿って調整可能なように前記第一方向に伸縮自在であり、
前記第二撓み部は、前記第一撓み部の伸縮の程度にかかわらず、前記複数の搭載部にそれぞれ搭載された発光素子の位置を前記第二方向に沿って調整可能なように前記第二方向に伸縮自在であることを特徴とする発光装置。
【発明の詳細な説明】
【技術分野】
【０００１】
本発明は、可撓性回路基板及び発光装置に関する。
【背景技術】
【０００２】
いわゆるＦＰＣ（Flexible Printed Circuit）と呼ばれる可撓性回路基板は柔軟性があり、小型ディスプレイ、携帯電話機、パーソナルコンピュータその他の小型・携帯型電子機器に使用されている。特許文献１には、複数の電気部品（５５）が搭載された可撓性回路基板（５０）について記載されている。
【先行技術文献】
【特許文献】
【０００３】
【特許文献１】特開２００５−２７４９３１号公報
【発明の概要】
【発明が解決しようとする課題】
【０００４】
ところで、例えばリジッド回路基板、可撓性回路基板や電気部品の設計上の寸法と実寸との差等の要因のために、設計値にしたがってこれら回路基板に電気部品の搭載位置の位置合わせをしても所望の位置に精度よく搭載することができないという問題がある。
そこで、本発明が解決しようとする課題は、電気部品を所望の位置に設置できるようにすることである。
【課題を解決するための手段】
【０００５】
以上の課題を解決するために、本発明に係る可撓性回路基板が、電気部品をそれぞれ搭載する複数の搭載部と、前記搭載部ごとに設けられ、第一方向に伸縮自在の第一撓み部と、前記搭載部ごとに設けられ、第一方向と直交する第二方向に伸縮自在の第二撓み部と、前記第一撓み部の前記第一方向の一端と前記第二撓み部の前記第二方向の一端とを連結する連結部と、を備え、
前記第一撓み部は、前記第二撓み部の伸縮の程度にかかわらず、前記複数の搭載部にそれぞれ搭載された電気部品の位置を前記第一方向に沿って調整可能なように前記第一方向に伸縮自在であり、
前記第二撓み部は、前記第一撓み部の伸縮の程度にかかわらず、前記複数の搭載部にそれぞれ搭載された電気部品の位置を前記第二方向に沿って調整可能なように前記第二方向に伸縮自在であることとした。
【０００６】
好ましくは、前記第一撓み部及び前記第二撓み部が蛇腹折りにされていることとした。
【０００７】
また、本発明に係る発光装置が、発光素子をそれぞれ搭載する複数の搭載部と、前記搭載部ごとに設けられ、第一方向に伸縮自在の第一撓み部と、前記搭載部ごとに設けられ、第一方向と直交する第二方向に伸縮自在の第二撓み部と、前記第一撓み部の前記第一方向の一端と前記第二撓み部の前記第二方向の一端とを連結する連結部と、を備え、
前記第一撓み部は、前記第二撓み部の伸縮の程度にかかわらず、前記複数の搭載部にそれぞれ搭載された発光素子の位置を前記第一方向に沿って調整可能なように前記第一方向に伸縮自在であり、
前記第二撓み部は、前記第一撓み部の伸縮の程度にかかわらず、前記複数の搭載部にそれぞれ搭載された発光素子の位置を前記第二方向に沿って調整可能なように前記第二方向に伸縮自在であることとした。
【発明の効果】
【０００８】
本発明によれば、第一撓み部及び第二撓み部の伸縮具合によって電気部品・発光素子の位置を調整することができる。そのため、電気部品・発光素子を所望の位置に設置することができる。
【図面の簡単な説明】
【０００９】
【図１】本発明の実施形態に係る実装体の平面図である。
【図２】前記実装体の側面図である。
【図３】前記実装体を用いた液晶表示装置の平面図である。
【図４】前記液晶表示装置の側面図である。
【発明を実施するための形態】
【００１０】
以下に、本発明を実施するための形態について図面を用いて説明する。但し、以下に述べる実施形態には、本発明を実施するために技術的に好ましい種々の限定が付されているが、発明の範囲を以下の実施形態及び図示例に限定するものではない。
【００１１】
図１は、実装体１を示した平面図である。図２は、実装体１を示した側面図である。この実装体１は可撓性回路基板２及び電気部品５２，５４，５６を有する。
【００１２】
可撓性回路基板２は、図示しない配線群及び少なくとも一層以上の樹脂製（例えば、ポリイミド製）の絶縁性フィルムを有している。可撓性回路基板２は、絶縁性フィルムが複数のフィルムの積層体の場合、配線群がこれら絶縁性フィルムの間或いは絶縁性フィルムの積層体の表層にパターニングして設けられており、絶縁性フィルムが一層のフィルムのみで構成されている場合、配線群が絶縁性フィルムの表層に形成されている。配線群は、銅等の薄膜によって形成されているため、絶縁性フィルム本体と同様に可撓性である。可撓性回路基板２がシート状のベース部１０、帯状部１２、撓み部１４，１８，２２，２６，３０，３４、交差部１６，２０，２４及び搭載部２８，３２，３６を有し、これらが以下のように連繋されている。また、可撓性回路基板２は、撓み部１４，１８，２２，２６，３０，３４が可撓性の絶縁性フィルムであれば、交差部１６，２０，２４がガラスエポキシ等の撓まないリジッド部であってもよく、また搭載部２８，３２，３６が撓まないリジッド部であってもよい。
【００１３】
矩形状のベース部１０の角部には、帯状部１２が連繋されている。帯状部１２は、ベース部１０の角部からベース部１０の短辺方向（以下、Ｙ方向という。）に延出している。帯状部１２の端部には、蛇腹状の撓み部１４が連繋されている。撓み部１４は、帯状部１２の端部からベース部１０の長辺方向（以下、Ｘ方向という。Ｘ方向とＹ方向は直交する。）に延出している。撓み部１４の先端部には、矩形状又は正方形状の交差部１６が連繋されている。交差部１６の一辺（撓み部１４の反対側の辺）には、蛇腹状の撓み部１８が連繋され、撓み部１８が交差部１６からＸ方向に延出している。撓み部１８の先端部には、矩形状又は正方形状の交差部２０が連繋されている。交差部２０の辺（撓み部１８の反対側の辺）には、蛇腹状の撓み部２２が連繋され、撓み部２２が交差部２０からＸ方向に延出している。撓み部２０の先端部には、矩形状又は正方形状の交差部２４が連繋されている。
【００１４】
撓み部１４、交差部１６、撓み部１８、交差部２０、撓み部２２及び交差部２４がＸ方向に並んでいる。また、これら撓み部１４、交差部１６、撓み部１８、交差部２０、撓み部２２及び交差部２４がベース部１０からＹ方向に離れており、撓み部１４、交差部１６、撓み部１８、交差部２０、撓み部２２及び交差部２４と、ベース部１０の間に隙間３８が形成されている。
【００１５】
撓み部１４，１８，２２は、帯状のシートの山折りと谷折りを交互に繰り返して蛇腹折りにされている。撓み部１４，１８，２２の山折り・谷折りの折れ目線は、Ｙ方向に平行であり、Ｘ方向に伸縮自在になっている。
【００１６】
撓み部１４，１８，２２を撓ませたり、撓み部１４，１８，２２を張ったり、撓み部１４，１８，２２の蛇腹折りを広げたり、撓み部１４，１８，２２の蛇腹折りを折ったりして、撓み部１４，１８，２２を任意に伸縮することによって、可撓性回路基板２を傷つけることなく、Ｘ方向における交差部１６，２０，２２の相互の距離、ひいてはＸ方向における搭載部２８，３２，３６の相対的な位置を任意に調整することができる。更に、撓み部１４，１８，２２の撓み具合・伸縮具合等によって、図１のＸ方向及びＹ方向にともに垂直な方向（以下、Ｚ方向という。）における交差部１６，２０，２２の位置を調整することができる。
【００１７】
交差部１６の他の一辺（撓み部１４，１８の何れにも連繋されていない辺）には、蛇腹状の撓み部２６が連繋され、撓み部２６が交差部１６からＹ方向に延出している。撓み部２２の先端部には、矩形状又は正方形状の搭載部２８が連繋されている。
交差部２０の他の一辺（撓み部１８，２２の何れにも連繋されていない辺）には、蛇腹状の撓み部３０が連繋され、撓み部３０が交差部２０からＹ方向に延出している。撓み部３０の先端部には、矩形状又は正方形状の搭載部３２が連繋されている。撓み部３０及び搭載部３２が撓み部２６及び搭載部２８からＸ方向に離れており、撓み部３０及び搭載部３２と撓み部２６及び搭載部２８との間に隙間４０が形成されている。
交差部２４の他の一辺（撓み部２２に連繋されていない辺）には、蛇腹状の撓み部３４が連繋され、撓み部３４が交差部２４からＹ方向に延出している。撓み部３４の先端部には、矩形状又は正方形状の搭載部３６が連繋されている。撓み部３４及び搭載部３６が撓み部３０及び搭載部３２からＸ方向に離れており、撓み部３４及び搭載部３６と撓み部３０及び搭載部３２との間に隙間４２が形成されている。
【００１８】
撓み部２６は、帯状のシートの山折りと谷折りを交互に繰り返して蛇腹折りにされている。撓み部２６の山折り・谷折りの折れ目線は、Ｘ方向に平行であり、Ｙ方向に伸縮自在になっている。撓み部３０，３４も、撓み部２６と同様に、蛇腹折りのためＹ方向に伸縮自在になっている。
撓み部２６，３０，３４の折り具合、撓み具合や伸縮具合を個々に調整することによって、可撓性回路基板２を傷つけることなく、Ｙ方向における搭載部２８，３２，３６の相互の位置と、Ｚ方向における搭載部２８，３２，３６の位置を任意に調整することができる。
【００１９】
ベース部１０、帯状部１２、交差部１６，２０，２４及び搭載部５２，５４，５６の少なくとも１つが絶縁性フィルムに他の部材が接合されて構成されることによって補強されていてもよい。ベース部１０、帯状部１２、交差部１６，２０，２４及び搭載部５２，５４，５６が補強されていることによって、ベース部１０、帯状部１２、交差部１６，２０，２４及び搭載部５２，５４，５６の柔軟性が蛇腹折りされる前の撓み部１４，１８，２２，２６，３０，３４の柔軟性よりも低い。
【００２０】
搭載部２８，３２，３６には、電気部品５２，５４，５６がそれぞれ搭載されている。本実施形態においては、電気部品５２，５４，５６の何れか１つが第一の電気部品であり、他の１つが第二の電気部品である。なお、電気部品５２，５４，５６は何れも可撓性回路基板２の表面（図１に図示される面）に搭載されているが、電気部品５２，５４，５６の全て又は何れかが可撓性回路基板２の裏面に搭載されていてもよい。
【００２１】
電気部品５２，５４，５６は、可撓性回路基板２に形成された配線群に接続されている。電気部品５２，５４，５６は、発光ダイオード、レーザダイオード、フォトセンサ、固体撮像素子、コネクタ、ＩＣチップその他の電気部品である。電気部品５２，５４，５６の何れもが同じ種類の電気部品であってもよいし、電気部品５２，５４，５６のうち何れかが他と異なる電気部品であってもよい。
搭載部２８，３２，３６の少なくともいずれかに電気部品が搭載されていれば、ベース部１０、帯状部１２、交差部１６，２０，２４にも他の電気部品が搭載されていてもよい。
【００２２】
以上のように本実施形態においては、可撓性回路基板２が単なる矩形状のシートではなく、可撓性回路基板２が撓み部１４，１８，２２，２６，３０，３４を有し、隙間３８，４０，４２が可撓性回路基板２に形成されている。そのため、撓み部１４，１８，２２，２６，３０，３４を変形させやすい。特に、撓み部１４，１８，２２，２６，３０，３４が蛇腹折りにされているから、撓み部１４，１８，２２，２６，３０，３４を変形させやすい。
【００２３】
互いに平行に延在する撓み部２６，３０，３４がＹ方向に伸縮自在で、撓み部１４，１８，２２がＸ方向に伸縮自在なので、このような撓み部１４，１８，２２，２６，３０，３４を任意に変形させて、撓み具合を調整することで、電気部品５２，５４，５６の設置位置、設置角度、設置向き等を調整することができる。そのため、可撓性回路基板２上の電気部品５２，５４，５６の搭載位置に誤差が生じている場合でも、電気部品５２，５４，５６を所望の位置に設置することができる。
【００２４】
電気部品５２と電気部品５４に関しては、可撓性回路基板２の一部が搭載部２８から撓み部２６、交差部１６、撓み部１８、交差部２０、撓み部３０を経て搭載部３２まで平面視略Ｕ字状に形成されている。その略Ｕ字状の部分のうち、撓み部２６、交差部１６、撓み部１８、交差部２０及び撓み部３０が連結部である。このような略Ｕ字状の部分のうち、Ｙ方向に伸縮自在の一対の撓み部２６，３０が、電気部品５２，５４のＹ方向・Ｚ方向の相対的な位置やＸ軸回りの相対的な位置の調整に寄与する。一方、Ｘ方向に伸縮自在の撓み部１８が、電気部品５２，５４のＸ方向・Ｚ方向の相対的な位置やＹ軸回りの相対的な位置の調整に寄与する。このように電気部品５２から電気部品５４までのシートが略Ｕ字状に形成されているから、そのシートを捩るように変形させずとも、電気部品５２，５４についてＸＹＺ方向の相対的な位置やＸＹ軸回りの相対的な位置を自由に調整することができる。電気部品５２と電気部品５６の関係についても、電気部品５４と電気部品５６の関係についても同様である。電気部品５２と電気部品５６に関しては、搭載部２８から撓み部２６、交差部１６、撓み部１８、交差部２０、撓み部２２、交差部２４、撓み部３４を経て搭載部３６まで平面視略Ｕ字状に形成されたシートが連結部である。電気部品５４と電気部品５６に関しては、搭載部３２から撓み部３０、交差部２０、撓み部２２、交差部２４、撓み部３４を経て搭載部３６まで平面視略Ｕ字状に形成されたシートが連結部である。
【００２５】
なお、可撓性回路基板２の形状は一例であり、別の形状であってもよい。
【００２６】
＜応用例＞
図３、図４を参照して、可撓性回路基板２を用いた発光装置６０及びこの発光装置６０を用いた液晶表示装置３について説明する。図３は、液晶表示装置３の平面図である。図４は、液晶表示装置３の側面図である。
【００２７】
この液晶表示装置３は、ドットマトリクス表示型又はセグメント表示型の液晶ディスプレイパネル７０と、液晶ディスプレイパネル７０の裏面（表示面の反対側の面）に向けて面発光する発光装置６０と、を備える。
【００２８】
液晶ディスプレイパネル７０がアクティブマトリクス駆動方式のものである場合、この液晶ディスプレイパネル７０は、トランジスタアレイ基板７２とそれに対向した対向基板７４との間に枠状のシール材を挟んで、トランジスタアレイ基板７２と対向基板７４をそのシール材によって接合し、トランジスタアレイ基板７２と対向基板７４の間であってシール材の内側に液晶を封入してある。トランジスタアレイ基板７２には、複数の走査線が互いに平行となって図３の横方向（Ｘ方向）に延びるように設けられている。更に、トランジスタアレイ基板７２には、複数の信号線が互いに平行となって図３の縦方向（Ｙ方向）に延びるように設けられている。走査線と信号線の各交差部には、走査線及び信号線に接続された薄膜トランジスタ及び当該薄膜トランジスタに接続された画素電極が形成されている。対向基板７４には対向電極が形成され、対向電極がこれらの画素電極に対向し、対向電極と画素電極の間に液晶が介在している。
【００２９】
発光装置６０は、いわゆるバックライトである。この発光装置６０は、導光板６２、可撓性回路基板２及び電気部品５２，５４，５６を有する。可撓性回路基板２は、図１、図２を用いて説明したように構成されている。電気部品５２，５４，５６は、それぞれ発光素子であり、具体的には発光ダイオード（ＬＥＤ）である。電気部品５２，５４，５６の各端子は、撓み部１４，１８，２２，２６，３０，３４を任意に変形して位置合わせを調整して可撓性回路基板２に設けられた各配線に適宜接続されている。可撓性回路基板２のベース部１０には、複数の走査線にそれぞれ接続された引き回し配線と複数の信号線にそれぞれ接続された引き回し配線が形成されている。
【００３０】
導光板６２は略平板状に設けられ、この導光板６２が液晶ディスプレイパネル７０の裏面に対向している。導光板６２は、１つの側面６４と液晶ディスプレイパネル７０に対向した出射面６８を除いて反射材で覆われている。
【００３１】
導光板６２が可撓性回路基板２の表面に載置されている。
電気部品５２，５４，５６が導光板６２の側面６４の近傍に配置されている。撓み部２６，３０，３４の撓み具合が調整されることによって、Ｙ方向における電気部品５２，５４，５６の位置が調整され、電気部品５２，５４，５６が導光板６２の側面６４に押し付けられている。従って、可撓性回路基板２上の電気部品５２，５４，５６の搭載位置に誤差が生じている場合でも、電気部品５２，５４，５６を確実に導光板６２の側面６４に押し付けることができる。
【００３２】
電気部品５２，５４，５６から発した光が側面６４に入射する。側面６４内に入射した光が導光板６２内を伝播する。また、出射面６８の反対側の面６６が反射面であり、側面６４内に入射した光が反射面６６で反射する。これにより、出射面６８全体から光が出射し、発光装置６０が面発光する。
【００３３】
可撓性回路基板２を用いた発光装置６０及び液晶表示装置３について説明したが、可撓性回路基板２を他の種類の電子機器（例えば、パーソナルコンピュータ、携帯電話機、計算機、電子辞書、ＰＤＡ、デジタルカメラ、タッチパネル等）に用いてもよい。
【符号の説明】
【００３４】
１  実装体
２  可撓性回路基板
３  液晶表示装置
１６、２０、２４  交差部
１８、２２  撓み部（第二撓み部）
２６、３０、３４  撓み部（第一撓み部）
２８、３２、３６  搭載部
５２、５４、５６  電気部品
６０  発光装置
６２  導光板
【図１】
0005428836.tif 000002
【図２】
0005428836.tif 000003
【図３】
0005428836.tif 000004
【図４】
0005428836.tif 000005